(57)【要約】【課題】建具のガラスを部分的に割ってそこから室内に手を入れても、レバー式施錠装置の開錠が簡単にできないようにし、空き巣の被害を未然に防止することができるレバー式施錠装置の開錠防止具を提供する。【解決手段】レバー式施錠装置１を取り付けた建具Ａに固定するベース部材１２と、このベース部材１２に対して両者の嵌合面に設けた凹溝と突条の嵌まり合いによる誘導で外嵌する抜き差し自在の外側部材１３とからなり、上記外側部材１３に、ベース部材１２への外嵌挿入時に、レバー式施錠装置１の施錠姿勢にあるレバー３への外嵌凹部１４を設け、この外側部材１３をベース部材１２に対してビス１８で固定化することができるようになっている。【選択図】　図５
2004116028.tif 000002
【特許請求の範囲】
【請求項１】
レバー式施錠装置を取り付けた建具に固定するベース部材と、このベース部材に対して抜き差し自在に取り付ける外側部材とからなり、上記外側部材に、ベース部材への取付け時にレバー式施錠装置の施錠姿勢にあるレバーへの外嵌部を設け、この外側部材をベース部材に対して固定化することができるようにしたレバー式施錠装置の開錠防止具。
【発明の詳細な説明】
【０００１】
【発明の属する技術分野】
この発明は、建物のベランダ等への出入口や窓等の開閉建具に設けたレバー式施錠装置を、施錠時に外部から簡単に開錠することができないようにする安全用の開錠防止具に関する。
【０００２】
【従来の技術】
一般に、建物におけるベランダ等への出入口や窓等は、外出時や就眠時の安全を確保するため、開閉建具にレバー式施錠装置（クレセント錠）を取り付け、室内側から施錠することができるようにしている。
【０００３】
【発明が解決しようとする課題】
ところで、上記のようなレバー式施錠装置は、レバーの回動操作で開錠と施錠ができるので、空き巣等を目的とした外部からの侵入者は、ベランダ等への出入口や窓等の建具に張設されたガラスの、レバー式施錠装置に近い位置を部分的に割ってそこから室内に手を入れ、レバーを回動操作してレバー式施錠装置を開錠した後、建具を開けて室内に侵入するものであり、近年、このような方法による空き巣の被害が増大しているのが実情であり、空き巣を目的に侵入したときに家人が在宅しているような場合、居直り強盗に変貌する危険性もあるので、レバー式施錠装置を簡単に開錠できないようにする手段の提案が待たれている。
【０００４】
そこで、この発明の課題は、建具のガラスを部分的に割ってそこから室内に手を入れても、レバー式施錠装置の開錠が簡単にできないようにし、空き巣の被害を未然に防止することができるレバー式施錠装置の開錠防止具を提供することにある。
【０００５】
【課題を解決するための手段】
上記のような課題を解決するため、この発明は、レバー式施錠装置を取り付けた建具に固定するベース部材と、このベース部材に対して抜き差し自在に取り付ける外側部材とからなり、上記外側部材に、ベース部材への取付け時にレバー式施錠装置の施錠姿勢にあるレバーへの外嵌部を設け、この外側部材をベース部材に対して固定化することができるようにした構成を採用したものである。
【０００６】
上記ベース部材がブロック状に形成され、外側部材はこのベース部材に外嵌する凹欠部が背面と長さ方向の一端側で開放するよう設けられたケース状に形成され、上記ベース部材に対する外側部材の長さ方向に沿った抜き差しが、両者の嵌合面に設けた凹溝と突条の嵌まり合いによって誘導され、上記外側部材に設けた外嵌部が、外側部材の前面と長さ方向の一端側で開放する凹溝によって形成されている構造とすることができる。
【０００７】
上記ベース部材は、レバー式施錠装置を取り付けた建具に対して、施錠姿勢にあるレバーの突出側の近接位置に、ビス止めや接着によって固定し、レバー式施錠装置の施錠状態を保持するには、上記ベース部材に対してレバーと反対側の端部から、凹溝と突条の嵌め合わせによって外側部材を外嵌挿入すると、外側部材の前面に設けた凹溝がレバーに対して外嵌し、この状態で外側部材をベース部材にビス止め等の手段で固定すれば、外側部材の凹溝内に納まる施錠姿勢のレバーは、外部からの回動操作が不能の状態になり、建具のガラスを部分的に割ってそこから室内に手を入れても、レバー式施錠装置の開錠が簡単にできないことになり、空き巣の被害を未然に防止することができる。
【０００８】
また、建具を開放するときは、ビスを緩めた後、外側部材をベース部材から抜き取ればよく、外側部材はレバーから凹溝が抜けることでレバーの開錠方向への回動操作が可能になる。
【０００９】
なお、空き巣被害の過去の実績から見て、建具のガラスを割るとき、人間が直接入れるような大きさに割ると、大きな音がして周辺に知られることになり、また、割った部分が外部が目に付き、このため、レバー式施錠装置に近い位置を部分的に割ってそこから室内に手を入れ、レバー式施錠装置を開錠しょうとするのが通例であり、室内に手を入れてもレバーを開錠操作できないようにするだけで空き巣の被害を有効に防止することができる。
【００１０】
【発明の実施の形態】
以下、この発明の実施の形態を図示例と共に説明する。
【００１１】
先ず、図３乃至図５は、建物におけるベランダ等への出入口や窓等に取り付けられているレバー式施錠装置１の一例を示し、一方の建具Ａにビスで固定するベース金具２の外面に、レバー３を備えた係止金具４を枢軸５で回動可能に取り付けた施錠装置本体６と、他方の建具Ｂに上記係止金具４が係脱可能となるよう固定されたフック金具７の組合わせによって形成され、例えば、係止金具４をレバー３が上向きになるよう回動すると係止金具４がフック金具７と係合して施錠状態となり、逆にレバー３が下向きになるよう回動すると、係止金具４がフック金具７から離脱して開錠状態となる。
【００１２】
上記レバー式施錠装置１の開錠防止具１１は、施錠装置本体６を取り付けた建具Ａに固定するベース部材１２と、このベース部材１２に対して外嵌する抜き差し自在の外側部材１３とからなり、上記外側部材１３に、ベース部材１２への外嵌挿入時に、レバー式施錠装置１の施錠姿勢にあるレバー３への外嵌凹部１４を設け、この外側部材１３をベース部材１２に対して固定化することができるようになっている。
【００１３】
上記ベース部材１２と外側部材１３は、例えば、硬質の合成樹脂を材料に用い、ベース部材１２は角形のブロック状に形成され、施錠装置本体６を取り付けた建具Ａに対して、施錠姿勢にあるレバー３の突出側の近接位置に、ビス挿通孔２１から建具Ａにねじ込んだビス２２による固定や接着剤によって固定される。図示の場合、ベース部材１２は、施錠装置本体６よりも上部の位置に固定されることになる。
【００１４】
上記外側部材１３は、ベース部材１２に外嵌する凹欠部１５が背面と長さ方向の一端側で開放するよう設けられた上下に長いケース状に形成され、上記ベース部材１２に対するこの外側部材１３の長さ方向に沿った抜き差しが、両者の両側嵌合面に設けた凹溝１６と突条１７の嵌まり合いによって誘導され、上記外側部材１３に設けたレバー３への外嵌凹部１４が、外側部材１３の前面と長さ方向の一端側で開放するよう設けた凹溝によって形成されている。なお、上記凹溝１６と突条１７は、蟻と蟻溝の組み合わせでもよい。
【００１５】
上記ベース部材１２に外嵌した外側部材１３のベース部材１２に対する抜け止め固定は、外側部材１３の端部にビス１８の挿通孔１９を設け、ベース部材１２の該挿通孔１９と対応する位置にビス１８のねじ込み孔２０を設けて形成され、このビス１８のねじ込みや取り外しは、室外から簡単に行えないように、ドライバーや六角スパナ等の工具を用いて行うようにすると共に、挿通孔１９とねじ込み孔２０を設ける位置を設定すればよい。
【００１６】
なお、ベース部材１２とこれに外嵌する外側部材１３の厚みは、ベース部材１２に外嵌挿入した外側部材１３の外嵌凹部１４の溝底がレバー３と干渉せず、かつ、外嵌凹部１４の内部にレバー３が納まるように設定されている。
【００１７】
ところで、レバー式施錠装置１は、施錠状態でレバー３が下向きになるものもあり、この場合、開錠防止具１１は、施錠装置本体６に対して下側の位置に配置すればよく、また、レバー式施錠装置１の建具面とレバー３の対向面間の間隔は、メーカや型式、大きさ等によって変動するため、厚さの異なるベース部材１２を幾種類か用意し、レバー式施錠装置１の条件に合う厚みのものを選択して使用したり、複数枚のベース部材１２を重ね合わせ状態で固定化して使用し、この重ね合わせ枚数を選択することにより、厚みをレバー式施錠装置１の条件に合わせるようにしてもよい。
図２（Ｃ）は、ベース部材１２の厚みを調整することができるようにした例を示し、ベース部材１２は、建具Ａに固定する上下に長い板状の取付けベース１２ａと、この取付けベース１２ａの前面に重ねて取り付ける所要数の増設ベース１２ｂとからなり、取付けベース１２ａと増設ベース１２ｂ及び増設ベース１２ｂ相互は、重なり面に設けた蟻２３と蟻溝２４で抜き差し自在に結合し、これら取付けベース１２ａと増設ベース１２ｂはビス止めや接着によって固定化し、最前部増設ベース１２ｂの前面に上下に長い角形ブロック状に形成した外側部材１３を、同じく蟻２３と蟻溝２４で抜き差し自在に結合し、ビス止めで該増設ベース１２ｂに固定化するようにしている。
【００１８】
この発明の開錠防止具１１は、上記のような構成であり、図３のように、建具Ａに対して施錠装置本体６の上部の位置にベース部材１２を、その上下方向を建具Ａの上下方向に沿わせて固定しておく。
【００１９】
この状態で、ベース部材１２はレバー３と干渉しないので、レバー３を介して係止金具４の開錠と施錠の回動操作は自由となり、図３は、レバー３が下向きとなる開錠状態を示し、建具ＡとＢの開閉が可能となる。
【００２０】
図４のように、建具ＡとＢを閉じた状態でレバー３により係止金具４を施錠位置に回動すると、係止金具４はフック金具７と係合して施錠となり、レバー３はベース部材１２の前面に起立状態で臨むことになる。
【００２１】
この施錠状態で、ベース部材１２に対して上端から外側部材１３を外嵌挿入すると、図５のように、外側部材１３の前面側に設けた外嵌凹部１４がレバー３に外嵌し、この後、挿通孔１９からねじ込み孔２０にねじ込んだビス１８で、外側部材１３をベース部材１２に対して固定化する。
【００２２】
上記のように、ベース部材１２に外側部材１３を固定した状態で、建具Ａに張設されたガラスの、レバー式施錠装置１に近い位置を部分的に割ってそこから室内に手を入れ、レバー式施錠装置１を開錠しようとしても、レバー３は建具Ａに固定した開錠防止具１１の外嵌凹部１４内に収まり、これを手で回すことができないため、レバー式施錠装置１を開錠することができず、また、ビス１８を緩めて外側部材１３を抜き取る作業は、室外側から極めて行いにくく時間がかかるので、それだけ人目につきやすくなり、泥棒の心理としてこのような危険をおかすことがないので、室内への侵入をあきらめることになり、空き巣の犯罪を未然に防止することができる。
【００２３】
なお、開錠防止具１１による施錠状態の保持が不要になった場合、ビス１８を緩めてベース部材１２から外側部材１３を抜き取れば、レバー３はフリーとなるので、係止金具４を開錠位置に回動することができる。
【００２４】
【発明の効果】
以上のように、この発明によると、レバー式施錠装置を取り付けた建具に固定するベース部材に対して抜き差し自在の外側部材に、ベース部材への外嵌挿入時に、レバー式施錠装置の施錠姿勢にあるレバーへの外嵌部を設け、この外側部材をベース部材に対して固定化することができるようにしたので、施錠したレバー式施錠装置のレバーが外嵌部内に収まり、外部からの回動操作が不能になるので、建具に張設されたガラスの、レバー式施錠装置に近い位置を部分的に割ってそこから室内に手を入れ、レバー式施錠装置を開錠しようとしても、レバーを手で回すことができないため、レバー式施錠装置を開錠することができず、このため、空き巣は室内への侵入をあきらめることになり、空き巣の犯罪を未然に防止することができ、安心して外出等ができることになる。
【図面の簡単な説明】
【図１】この発明に係る開錠防止具の分解斜視図
【図２】（Ａ）は開錠防止具の建具に取り付けた組み立て状態を示す縦断正面図、（Ｂ）は同横断平面図、（Ｃ）はベース部材の厚みを調整することができるようにした例を示す横断平面図
【図３】建具に取り付けたレバー式施錠装置の開錠状態とベース部材を示す斜視図
【図４】建具に取り付けたレバー式施錠装置の施錠状態とベース部材を示す斜視図
【図５】建具に取り付けたレバー式施錠装置の施錠状態と開錠防止具の関係を示す斜視図
【符号の説明】
１　　レバー式施錠装置
２　　ベース金具
３　　レバー
４　　係止金具
５　　枢軸
７　　フック金具
１１　開錠防止具
１２　ベース部材
１３　外側部材
１４　外嵌凹部
１５　凹欠部
１６　凹溝
１７　突条
１８　ビス
１９　挿通孔
２０　ねじ込み孔
【図１】
2004116028.tif 000003
【図２】
2004116028.tif 000004
【図３】
2004116028.tif 000005
【図４】
2004116028.tif 000006
【図５】
2004116028.tif 000007